(57)【特許請求の範囲】
【請求項１】
廃水に凝集剤を添加してフロックを形成する凝集反応装置の濾過原液を、ケーキと清澄水とに濾過分離するために濾過分離装置へ供給して廃水処理を行う設備において、
前記濾過分離装置が、濾過原液を貯留する濾過原液槽とフィルタドラムとスクレーパ手段とを備えたプリコート式の真空濾過装置であり、
前記凝集反応装置が、攪拌機を備えた凝集反応槽と、該凝集反応槽に廃水を供給する廃水供給手段と、粉状凝集剤を供給する凝集剤供給手段とを備えたものであり、
前記凝集反応槽と前記濾過原液槽との間に、設定濾過原液面位置に前記凝集反応槽からの濾過原液を供給する濾過原液供給配管と、前記濾過原液槽から前記凝集反応槽へ濾過原液を戻す濾過原液戻し配管とを備えている、廃水処理設備を用いる廃水処理方法において、
前記粉状凝集剤として、無機凝集剤とともに該無機凝集剤の添加により前記濾過原液が中性域から外れることなく、該無機凝集剤の凝集作用の低下を阻止するｐＨ緩衝剤を使用することを特徴とする廃水処理方法。
【請求項２】
前記粉状凝集剤として、更に、高分子凝集剤を使用することを特徴とする請求項１記載の廃水処理方法。
【請求項３】
前記廃水のｐＨが５．５〜９のものであることを特徴とする請求項１又は２記載の廃水処理方法。
【請求項４】
前記ｐＨ緩衝剤が前記無機凝集剤中に含有されていることを特徴とする請求項１、２又は３記載の廃水処理方法。
【発明の詳細な説明】
【技術分野】
【０００１】
本発明は、プリコート式の真空濾過装置を備えた廃水処理設備を用いる廃水処理方法に関する。
【背景技術】
【０００２】
廃水に凝集剤を添加して、廃水中に含まれる固形分を結合させてフロックとして、固液分離する廃水処理に際して、高清澄度の濾液を得るために、プリコート式の真空濾過装置を用いた廃水処理設備がある（例えば、特許文献１、２等）。
【０００３】
廃水処理設備は、図１に示す如く、プリコート槽１１と、真空濾過装置１６と、凝集反応装置１０と備えている。
【０００４】
凝集反応装置１０は、凝集反応槽１４と、該凝集反応槽１４に廃水を供給する廃水供給手段（廃水槽１２、廃水供給配管２８）と、凝集剤等を供給する凝集剤等供給手段（アルカリ液槽１８、無機凝集剤槽２０、供給配管２６、２６）を備えている。
【０００５】
これらの各槽１８、２０は攪拌機２２、２２を備えている。即ち、凝集反応槽１４に供給した廃水に、アルカリ液を一定量添加後、硫酸バンドで中和してフロックを形成する。アルカリ液槽１８や無機凝集剤槽２０は、それぞれ、薬剤を１０〜２０倍程度に希釈懸濁させて、ポンプ(ダイヤフラム式)２４で供給配管２６を介して凝集反応槽１４へ供給している。なお、図例中、３６は濾過原液槽、３８はフィルタドラム、４６はスクレーパ装置、４７はケーキ回収ボックスである。
【０００６】
そして、上記構成の廃水処理設備では、下記のような問題点が指摘されるようになってきた。
【０００７】
真空濾過装置１６、プリコート槽１１、凝集反応槽１４、そしてアルカリ液槽１８および無機凝集剤槽２０にそれぞれ攪拌機２２、２２および凝集反応槽１４への定量供給ポンプ２４、２４、供給配管２６、２６、更には、凝集反応槽１４にｐＨ計１３を必要とする。
【０００８】
また、アルカリ液槽１８の消石灰は、水難溶性であるため、下記のような理由により、通常、無機凝集剤槽２０の硫酸バンドより先に添加する必要がある。
【０００９】
pH計による制御は1点制御であり、消石灰添加で溶解させてアルカリとなった廃水に、所定のpHまで硫酸バンド溶液を添加して所定のｐＨまで下げることが必要なためである。
【００１０】
なお、廃水の種類によっては硫酸バンドを先に添加したほうが油分の除去が良好となる場合もある。
【００１１】
これらの理由により、相対的に大きな設備床面積が必要となるとともに設備費も嵩み、更には、運転費用も嵩む傾向にあった。
【００１２】
これらの問題点を解決するために、凝集反応槽１４に貯留した廃水に粉状の凝集剤等を直接に添加して濾過原液とすることが考えられる。そうすれば、アルカリ液槽１８や無機凝集剤槽２０が不要になるとともに、これらの各槽１８、２０から、凝集反応槽１４へアルカリ液や凝集剤を供給するポンプ２４、２４や供給配管２６、２６が不要となるためである。
【００１３】
特許文献１には、下記構成の真空プリコート濾過方法が提案され、廃水（原水）が供給された凝集反応槽１４に粉状凝集剤を直接添加して濾過原液を調製できる旨が記載されている。
【００１４】
以下に、特許文献１における請求項１および段落００４０の記載を引用する。
【００１５】
「［請求項１］回転を与えたフィルタドラムの上方より、濾過原液をフィルタドラムの上面における軸方向にほぼ一様に連続して流し込み、フィルタドラムのプリコート層により固形分と液分とに分離し、固形分をプリコート層上で捕捉し、液分をフィルタドラムの内部に吸引すると同時に固形分をケーキ状に脱水処理し、その脱水ケーキ層を前記プリコート層から剥離して取り出すことを特徴とするトップフィード型連続式真空プリコート濾過方法。」
【００１６】
「［００４０］また、本発明方法では濾過原液に所定量の凝集剤を添加し、攪拌混合したうえでフィルタドラムの上方から流し込むようにしている。一般に、凝集剤は水に溶解しにくい、つまり溶けるのに時間がかかる、溶解度も低いという性質がある。このため、あらかじめ多量の水に溶かして水溶液を作り、これを濾過原液供給配管の途中に注入したり、凝集タンクを設け、これに供給したりする。これに対して、本発明方法ではトップフィード方式にしたことにより、凝集剤を粉体のまま凝集タンクに投入し、すなわち濾過原液に対して高濃度で凝集剤を添加し、懸濁粒子群を凝集させてフィルタドラムの上方に導き、その上方から流し込み、濾過処理することができる。その結果、従来技術ではフロックが大きいと（参照付記；粗大なフロックが濾過原液槽底部に沈澱してしまう。）、濾過吸着に支障をきたしていたが、本発明方法ではトップフィード方式を採っていることにより、フロックを大きくすれば大きくする程、濾過吸着が向上するので、フロックをできるだけ大きくし、処理能率を高めることができる。さらにまた、従来技術では凝集剤の低濃度の添加では凝集しにくい懸濁液であっても、本発明方法では濾過原液に凝集剤を高濃度で添加し、凝集効果を高め、フロックを形成させて処理能率を向上させることが可能となる。」
【００１７】
しかし、上記特許文献１における粉状凝集剤の直接使用による濾過原液の調製は、本発明における粉状凝集剤の廃水への直接投入を開示しているとは、下記理由により認められない。
【００１８】
上記プリコート式の真空濾過方法において、濾過原液の、フィルタドラムの濾過原液槽（フィルタタンク）内に液没位置（濾過吸着工程Ａ：図２７）における、濾過原液（粉状の凝集剤を使用して大きなフロックを含有する場合の）の濾過吸着の支障をどのように解消しているかの説明が何ら記載されていないためである。即ち、濾過原液槽には、フィルタドラムの頂部に供給されて濾過されずに流下した、又は、直接凝集反応槽から分岐配管を介して流入して大きなフロックを含む濾過原液が貯留されて、前述のとおり、粗大なフロックが底部に沈澱してしまい、フィルタドラム表面に吸着されることがないので真空濾過が困難となるためである。
【００１９】
なお、本発明の特許性に影響を与えるものではないが、プリコート式の真空濾過装置を用いる廃水処理設備に関連する先行技術文献として特許文献２等が存在する。
【先行技術文献】
【特許文献】
【００２０】
【特許文献１】特開平８−３８８１８号公報
【特許文献２】特開２０１０−２３４３２５号公報
【発明の概要】
【発明が解決しようとする課題】
【００２１】
本発明は、上記にかんがみて、プリコート式の真空濾過装置を備えた廃水処理設備を用いる廃水処理方法において、凝集反応槽へ粉状凝集剤を直接投入可能な新規な構成の廃水処理方法を提供することを目的とする。
【課題を解決するための手段】
【００２２】
上記課題を解決すべく、鋭意開発に努力をした結果、下記構成の廃水処理設備及び廃水処理方法に想到した。参照のため括弧付きで図符号を付す。
【００２３】
本発明の廃水処理設備は、廃水に凝集剤を添加してフロックを形成する凝集反応装置（１０）の濾過原液を、ケーキと清澄水とに濾過分離するために濾過分離装置（１６）へ供給して廃水処理を行う設備において、
前記濾過分離装置が、濾過原液を貯留する濾過原液槽（３６）とフィルタドラム（３８）とスクレーパ手段（４６）とを備えたプリコート式の真空濾過装置（１６）であり、
前記凝集反応装置（１０）が、攪拌機（２２）を備えた凝集反応槽（１４）と、該凝集反応槽（１４）に廃水を供給する廃水供給手段（１２、２８）と、粉状凝集剤組成物を供給する凝集剤供給手段（１５）とを備えたものであり、
前記凝集反応槽（１４）と前記濾過原液槽（３６）との間に、設定濾過原液面位置に供給口（３１ａ）を有して、前記凝集反応槽（１４）からの濾過原液を供給する濾過原液供給配管（３１）と、前記濾過原液槽（３６）から前記凝集反応槽（１４）へ濾過原液を戻す濾過原液戻し配管（３７）を備えている、ことを特徴とする。
【図面の簡単な説明】
【００２４】
【図１】従来の廃水処理設備の一例を示す流れ図である。
【図２】本発明の廃水処理設備の一例を示す流れ図である。
【図３】本発明で使用するプリコート式の真空濾過装置の原理説明図である。
【図４】本発明に適用する濾室分割タイプのフィルタドラムの作用説明のための側面モデル図（Ａ）および正面モデル図（Ｂ）である。
【図５】本発明で使用するスクレーパ装置の全体正面図（Ａ）及び掻取り刃保持部の拡大図（Ｂ）である。
【図６】本発明に適用するフィルタドラムと濾過原液槽底部との間にパドル（ファンタービン形）の回転攪拌翼を配した真空濾過装置の側面モデル図（Ａ）及び正面モデル図（Ｂ）である。
【図７】同じく揺動攪拌翼を配した真空濾過装置の側面モデル図（Ａ）及び正面モデル図（Ｂ）である。
【発明を実施するための形態】
【００２５】
本発明の廃水処理設備の一実施形態について、図例に基づいて説明する。
【００２６】
図２に廃水処理設備のフローシートの一例を示す。このフローシートは、研磨廃水、ダイカスト離型剤廃水、フレキソインキ廃水等の廃水処理を想定したものである。
【００２７】
基本構成として、凝集反応装置１０と濾過分離装置（真空濾過装置）１６とを備えている。そして、凝集反応装置１０は、攪拌機２２を備えた凝集反応槽１４と、該凝集反応槽１４に、廃水を供給する廃水供給手段１２、２８と、粉状（粉末）凝集剤を供給する凝集剤供給手段１５を備えている。
【００２８】
ここで粉状凝集剤の供給手段１５から供給される粉状凝集剤組成物は、無機凝集剤とｐＨ緩衝剤とを少なくとも含むものを使用する。ここで、無機凝集剤とともにｐＨ緩衝剤を使用するのは、下記理由による。
【００２９】
ｐＨ緩衝剤を使用することにより、無機凝集剤の添加により濾過原液が中性域から外れることなく、無機凝集剤の凝集作用の低下を阻止できるためである。
【００３０】
具体的には、無機凝集剤としては、硫酸バンド（Ａｌ2（ＳＯ4）3・ｎＨ2Ｏ）、ＰＡＣ（Ａｌ2（ＯＨ）nＣｌ6-n）等のアルミニウム塩、並びに、硫酸第一鉄（ＦｅＳＯ4）、塩化第二鉄（ＦｅＣｌ3）、硫酸第二鉄（Ｆｅ2（ＳＯ4）3）等の鉄塩を使用できる。
【００３１】
また、ｐＨ緩衝剤としては、目的のｐＨ領域（通常、４〜１４）を緩衝する緩衝薬剤を選択すればよい。弱酸のｐＫａを中心として前後０．５ｐＨ単位にある弱酸とその共役塩基の混合物とする（大木他編「化学辞典」東京化学同人、1994発行、「緩衝液」の項参照）。ｐＨ緩衝剤としては、例えば、各種リン酸塩を使用可能である。
【００３２】
更に、必要により、高分子凝集剤を、粉状凝集剤組成物に添加したり、又は、濾過原液供給配管の途中に供給可能としたりしてもよい。
【００３３】
高分子凝集剤としては、上記例示の廃水の場合、アニオン系のものを使用する。アニオン系高分子凝集剤としては、例えば、アルギン酸ナトリウム、ＣＭＣナトリウム塩、ポリアクリル酸ナトリウム、ポリアクリルアミド部分加水分解塩等をあげることができる。
【００３４】
廃水槽（原水槽）１２は、前記研磨廃水等を貯留し、廃水槽１２と凝集反応槽１４との間には、廃水供給配管２８が配されている。なお、廃水槽１２は、図示しないが、通常、攪拌機及びポンプを備えている。
【００３５】
凝集反応槽１４は、攪拌機２２を備えている。そして、凝集反応槽１４と真空濾過装置１６の濾過原液槽３６との間には、濾過原液（フロックを含んだ廃水：スラッジ）の供給ポンプ２５を備えた濾過原液供給配管３１が配されている。
【００３６】
そして、廃水（例えば、研磨廃水）は、通常、ｐＨ５．５〜９（望ましくは、ｐＨ６〜８）の範囲にあるものを使用する。ｐＨが当該範囲を外れる場合は、アルカリ剤を添加して上記範囲になるようにｐＨ調整しておく。廃水として上記範囲のものを使用するのは、前記ｐＨ緩衝剤の添加により緩衝能が発揮できる範囲であるためである。
【００３７】
廃水が供給された凝集反応槽１４では、廃水のｐＨが中性域（ｐＨ５．５〜９、望ましくはｐＨ６〜８）の範囲にあるため、廃水中の粒子がマイナスに荷電している。そして、硫酸バンド等の無機凝集剤を含有する粉状凝集剤を供給して攪拌することにより、凝集剤中のプラスの荷電が粒子のマイナスの荷電と反応し、粒子は互いにくっつきあうことで、フロック（凝集塊）（粒径１００〜５００μｍ）が形成される。
【００３８】
ｐＨ緩衝剤を含有させることで、粉状の硫酸バンド等の無機凝集剤を直接、凝集反応槽へ添加できる理由は、下記の如くである。硫酸バンド（硫酸アルミニウム）を例に採るが、他のアルミニウム塩系の場合は勿論、鉄塩系の場合も同様である。
【００３９】
粉状凝集剤中にpH緩衝剤が含有されており、液性を中性に維持することが出来れば、pH中性域付近で水酸化アルミニウムの正電荷をもつＡｌ（ＯＨ）3（s）を形成することが可能となる。その結果、Ａｌ（ＯＨ）3（s）が負に帯電したコロイド粒子を取り込み、電気的に中和することでファンデンワルス力（粒子間引力）により粒子同士が引付けあっていわゆる緩速凝集（sweep coagulation）を生じる（藤田賢二著「水処理薬品ハンドブック」技法堂出版、2003発行、p23〜24、図-2.1.5硫酸アルミニウム凝集における凝集領域参照）。
【００４０】
そして、フロックが生成した濾過原液（スラッジ）を濾過分離装置（真空濾過装置）１６へ供給する。そして、凝集反応槽１４と濾過原液槽３６との間に、設定濾過原液面位置に供給口３１ａを有して凝集反応槽１４からの濾過原液を供給する濾過原液供給配管３１が配されている。
【００４１】
なお、スラッジに高分子凝集剤を添加（供給）することにより、含まれるフロックをさらに大径化できるとともにフロック強度（耐破壊強度）を増大させることができる。
【００４２】
そして、本実施形態では真空濾過装置１６は、基本的には、図３に示すような原理を備えたプリコート式真空濾過装置を使用する。
【００４３】
即ち、濾過原液槽（濾過槽）３６と、濾過原液槽３６に下側を浸漬させて配されるフィルタドラム３８とを備えている。該フィルタドラム３８の中心回転軸側と、真空ポンプ４０を備えた気密分離槽（減圧室）４２との間が濾液配管４４で接続されている。
【００４４】
そして、該フィルタドラム３８は強制駆動により低速回転可能（例えば、0.5〜２min-1）とされ、該フィルタドラム３８の回転方向に対面する側にスクレーパ手段（スクレーパ装置）の掻取り刃４８が配されている。該スクレーパ手段は、掻取り刃４８を所定速度で前進可能とされ、ケーキ４９が付着したプリコート層５０を連続的に剥離して常に新しいプリコート層５０の表面を露出させる。こうして、安定した連続濾過を可能とし清澄度の高い処理水（濾液）が得られる。
【００４５】
上記汎用のフィルタドラム３８は、本実施形態では、下記構成とされている（図４参照）。
【００４６】
回転自在とするフィルタドラム３８の内筒部５６と外筒部５８との間を、仕切板６０により複数個の均等な濾室６２を区画形成するとともに、各濾室６２にはその仕切板６０の回転方向内側面の付近においては、回転軸を兼ねる濾液主管６４より分岐された枝管６６を続かせ、該フィルタドラム３８をその下半部が槽内に位置するように濾過原液槽（濾過槽）３６を設置してある。
【００４７】
フィルタドラム３８は、外筒部５８が金網で形成され、該金網にプリコート層５０の支持体である濾布５４が張設固定されている。フィルタドラム３８の両側中央に設けられた回転軸を兼ねる濾液主管６４は、その中間部に駆動用のチェーンホイール６８を取り付けるとともに、端部は中空の回転継手を介してバキューム装置（前述の真空ポンプ４０を備えた気密分離槽４２）に接続させている。
【００４８】
このように形成されたものは、先ず、濾過原液槽３６に所定濃度のプリコート液をプリコート槽１１から供給し、フィルタドラム３８を低速回転させると同時にバキューム装置（真空ポンプ４０）を駆動させる。このとき、内筒部５６と外筒部５８との間に仕切板６０をもって区画形成されている複数個の均等な濾室６２内は濾液主管から分岐された枝管６６が続かせてある。
【００４９】
このため、槽内に濾過原液（プリコート液又は反応液）がない空のときは、均等に減圧されて外筒部５８を通じ等量の大気を吸引するものである。
【００５０】
次に、図示の如く、矢示方向に右回転する６個の濾室６２よりなるフィルタドラム３８の下半部を槽内に位置させて、槽内に濾過原液（プリコート液又は反応液）を供給した場合の吸引作用は下記の如くになる。以下、理解容易のため、Ａ〜Ｆの各位置になった濾室６２については、それぞれ、各位置符号を括弧付きで付記する。
【００５１】
濾過ゾーンに相当する右下位置Ａに至った濾室６２(A)はその表面に濾過原液中の分散質を吸着させると共に濾室６２(A)中に濾液を吸引することになる。このとき、枝管６６の吸引口部には未だ濾液が達しないので濾室６２(A)中に吸引された濾液は濾液主管６４に送られることはない。
【００５２】
こうして、フィルタドラム３８が徐々に回動されて左下位置Ｂに至った濾室６２(B)はその内部に吸引されている濾液が枝管６６の吸引口部に達することとなるため枝管６６、濾液主管６４を経て濾液は徐々に吸引排出され、濾室６２(B)の外筒部５８の表面には左下位置において吸着されたケーキが剥離することのない程度に吸引力が働くことになる。
【００５３】
次いで、左位置Ｃに回動されてきた濾室６２(C)においては内部の濾液が左下位置Ｂと同様枝管６６の吸引口部に達している。このため、枝管６６、濾液主管６４を経て濾液は更に排出され濾室６２(C)の表面上半部はこれに吸着されているケーキを介して大気と通じることとなる。このとき、枝管６６の吸引口部が濾液中に位置しているため、該上半部の空気通過量は微量であり、他の濾室６２に対する吸引力に悪影響を及ぼすことがない。
【００５４】
更に、左上位置Ｄまで回動された濾室６２(D)は、前記左位置Ｃと同様に、ケーキ中の水分を吸引して乾燥ゾーンとしての働きをすることになる。このため、濾室６２(D)中の濾液量も減少する。
【００５５】
次いで、右上位置Ｅまで回動された濾室６２(E)は内部の濾液が回転方向側に流動して枝管６６の吸引口部は解放されて濾室６２の表面より吸引する大気の量は若干増加して、乾燥ゾーンとしての働きも増大する。このとき、濾室６２(E)の内部に残っている濾液が濾室６２(E)の表面の下方部分にある。このため、直接大気を吸引する濾室６２(E)の表面の少なくとも他の濾室６２に対する吸引力に余り悪影響を及ぼすことがなく、濾過ゾーンにあたる右下位置Ａや左下位置Ｂ等との真空バランスを良くしている。
【００５６】
そして右位置Ｆに濾室６２が回動されてきた際に、該濾室６２(F)の外周に掻取り刃４８の先端を臨ませておくことにより左上位置Ｄと右上位置Ｅよりなる乾燥ゾーンにおいて乾燥されたケーキが付着したプリコート層を剥離することができる。
【００５７】
次いで、右位置Ｆまで濾室６２が回動されてくると、該濾室６２(F)は右上位置Ｅの濾室６２(E)と同様に作用する。このとき、濾室６２(F)は、その下方部は徐々に濾過槽３６中の濾過原液に浸漬されてくることにより、表面から吸引される大気量は右上位置Ｅにおける濾室６２(E)の大気の吸引量よりもいっそう減少し、他の濾室６２の吸引に対する悪影響は殆どないものとなる。
【００５８】
このような過程を経てフィルタドラム３８は、回動を続けることによって、乾燥ゾーンである左上位置Ｄや右上位置Ｅ、および、濾過ゾーンである右下位置Ａや左下位置Ｂの真空効率は極めて高くなり、切替弁はなくても効率的な濾過作業を連続して行なうことができることとなる。
【００５９】
次に、スクレーパ手段（スクレーパ装置）４６の詳細について説明する（図５参照）。当然、他の慣用のスクレーパ手段でもよい。
【００６０】
機枠７２上に設けられた支持台７４には、フィルタドラム３８の外周面に形成されたプリコート層５０に向かって移動できるスクレーパ装置４６が傾斜して取り付けられている。
【００６１】
スクリュー軸７６が支持台７４に取り付けられた軸受に軸支されており、スクリュー軸７６はプリコート層５０に対して傾斜して取り付けられると共に該スクリュー軸７６の先端にホルダー７８が直角に固定されている。該ホルダー７８の一端には切欠部８０が設けられて該切欠部８０にかみそり刃状の厚さ１ｍｍ以下（望ましくは0.1〜0.6ｍｍ）の薄鋼板よりなる掻取り刃４８が載せられている。該掻取り刃４８の全面はこれを押える突起部８７をもつ山形状の弾性薄板よりなる押え金具８２により切欠部８０の面に保持される。該押え金具８２は締付用ボルト８４を締付けることにより掻取り刃４８を押え金具８２の先端部と突起部８７の先端部により弾性支持して緊締しうるようになっている。なお、スクリュー軸７６の雄ねじ部８６は雌ネジ８８を持つスリーブ９０にねじ込まれている。該スリーブ９０の外径部分はウォームホイール９２にキー止めされている。ウォームホイール９２はウォーム軸９４をもつウォーム９６に噛合う。ウォーム９６とウォームホイール９２とは軸受けと一体となったギヤーケース９８内に収納されている。また、ウォーム軸９４は図示されない係脱装置によりウォームホイール９２に係脱自在になっている。さらに、スクリュー軸７６の端部にはスクリュー軸７６の前進を阻止するストッパ用カラー１００が取り付けられ、スクリュー軸７６に嵌められたスリーブ９０にはハンドル９９が取り付けられている。
【００６２】
このように構成されたものは、ウォーム軸９４を回転してウォーム９６を回転させれば、スクリュー軸７６はプリコート層５０に向かってゆるやかに前進しケーキが付着したプリコート層５０を傾斜した掻取り刃４８の刃先により薄く削りとることができる。この際、掻取り刃４８の刃先部分は摩耗するが、掻取り刃４８の厚さは0.1〜0.6ｍｍと極めて薄いため、刃先部分が摩耗しても厚刃の場合に見られるような平坦部をもつ刃先になることがない。このためケーキ掻取り時に刃先に作用する摩擦抵抗は厚刃の場合より少なくてケーキ層の切削作用は余り変わらない。
【００６３】
したがって、ケーキ掻取りにより露出したプリコート層には縞状の目詰まりが生ずることがなく、ホルダー７８に取り付けられた掻取り刃４８は長時間の使用に耐えることができる。
【００６４】
また、掻取り刃４８は弾性薄板よりなる押え金具８２により弾性支持されている。このため、掻取り刃４８は全体としてホルダー７８に無理なく装着されてケーキ中に硬い塊状の異物が介在するような場合でも掻取り刃４８は押え金具８２の弾性作用により先端部分が微小変形して異物を乗り越え、又は掬いだすことができ、刃先はその先端部に加わる衝撃によって刃こぼれを起こすことはない。
【００６５】
なお、掻取り刃４８の厚さは前記の如く、0.1〜0.6ｍｍとすることが望ましいが、掻取り刃４８の材質によっては、0.05〜１ｍｍの範囲まで可能である。
【００６６】
さらに、本実施形態では、フィルタドラム３８が前記の如く、吸引濾過圧を、切替弁を使用せずに、安定した吸引圧で濾過可能としてあるため、プリコート層に付着するケーキの含水率が安定している。したがって、掻取り位置におけるケーキ付着プリコート層の表面強度の波打ち（変動）が小さい。このため、異物と干渉しない常態時において、掻取り刃の切削が円滑に行なわれ、また、掻取り刃の摩耗はドラムの位置に関わらず均等に生じることになり、掻き取り性能の低下やプリコート層の破損による濾過性能の低下を生じることがない。
【００６７】
そして、本実施形態の更に望ましい形態は、上記構成において、濾過原液槽３６の底壁とフィルタドラム３８との間に攪拌翼（攪拌手段）を配されているものとすることにある。
【００６８】
この攪拌手段は、濾過原液槽３６におけるフロックの沈降堆積を防止するために設置するものである。フロックの堆積は、濾過効率の低下を招く。
【００６９】
攪拌手段としては、水平回転攪拌式（パドル式：ファンタービン形）（図６）、揺動攪拌式（揺りかご式）（図７）等が考えられる。
【００７０】
水平回転攪拌式の場合は、フロックの沈降堆積を防止するには、パドル（回転翼）１０２の回転数を増大させる必要がある。しかし、回転数を増大させると、フロックが破壊して、フロック径が小さくなるため、フロックを捕獲するプリコート層を形成する濾過助剤の粒径を大きくできない。濾過助剤の粒径を大きくすることができれば、プリコート層の粒子間隙が大きくなって、濾過速度が増大する。ちなみに、従来の濾過助剤（例えば珪藻土）の汎用粒径は４０μｍ程度であった。
【００７１】
また、回転軸１０４の軸受け部を濾過原液槽３６内に設ける必要があり、液封シール構造とする必要がある。
【００７２】
上記水平回転攪拌式に対して揺動攪拌式は、揺動レバーの原動軸を液外（フィルタドラムの回転軸部位）に設ける構造となる。このため、濾過原液槽３６内に軸支のためのシール構造が不要である。また、濾過原液槽３６の底部に沿って、攪拌部材を緩やかに揺動させることにより、フロックを破壊せずに沈降防止が容易である。
【００７３】
ここで、揺動攪拌翼の形態は、濾過原液槽３６の円弧状底部に沿って揺動する棒体、アングル体、帯板体であってもよいが、図７に示すような投影円弧状の面状枠体や面状多孔体の円弧状攪拌翼１０６とすることが望ましい。
【００７４】
このとき、円弧状攪拌翼１０６と濾過原液槽３６底面との隙間は、形成フロックの大きさによるが、例えば、１〜２５ｍｍとする。
【００７５】
円弧状攪拌翼１０６の形態は、円弧状であれば特に限定されず、多孔板状でもよいが、一対の円弧状板の間を、等間隔で配した棒材やアングルや羽板で連結したものが、攪拌効果が得易くて望ましい。
【００７６】
なお、円弧状攪拌翼１０６の揺動駆動は、図示しないが、原動機に連結された汎用の往復運動機構を使用して行なう。
【００７７】
さらに、本実施形態で、濾過原液槽３６の底部に凝集反応槽１４への濾過原液戻し配管３７を形成し、沈降フロックを凝集反応槽１４へ戻し可能としておくことが望ましい。フロックが大きすぎて沈降して真空濾過できない場合に、凝集反応槽１４へ戻して再処理可能とするためである。
【００７８】
次に、上記攪拌装置を備えた真空濾過装置の使用態様について説明をする。
【００７９】
１）プリコート操作
濾過助剤分散液を、濾過原液槽３６へポンプ供給する。なお、濾過助剤としては、特に限定されず、例えば、珪藻土やパーライト等を使用できる。
【００８０】
そして、フィルタドラム３８を低速回転（例えば、１min-1）させるとともに真空吸引(例えば、４０ｋＰａ)し、さらに、円弧状攪拌翼１０６を揺動運動（往復運動）させる。このときの往復運動サイクルは、２０〜５０Ｈｚとする。
【００８１】
このとき、スクレーパ装置の掻取り刃４８の先端は、フィルタドラム３８の外周面からプリコート層５０の設定厚み分を離した位置に静止させておく。
【００８２】
円弧状攪拌翼１０６を往復揺動運動させることにより、大きな粒径の濾過助剤でも濾過原液槽３６の底部に堆積することはない。また、フィルタドラム３８の濾布面には、プリコート液に浸漬して入る状態で、前述の如く、高い吸引圧が作用する。このため、粒径の大きな濾過助剤を効率よくフィルタドラム３８に張り付かせて、プリコート層が効率よく形成される。ここで、例えば、珪藻土の場合、４０〜８０μｍの粒径のものを使用する。
【００８３】
なお、クラック防止のために、プリコート時、清水を供給する。
【００８４】
２）凝集操作
廃水は凝集反応槽１４のレベル計の液面位置信号を受けて設定液面位置（Ｈ位置）になるまで、廃水槽１２から凝集反応槽１４に供給ポンプで供給する。
【００８５】
凝集反応槽１４には、粉状凝集剤組成物（ｐＨ緩衝剤を添加した無機凝集剤）を粉状凝集剤供給手段（ユニット）１５から供給する。その後、凝集反応槽１４にフロックを生成させながら、連続的に真空濾過装置１６の濾過原液槽３６に同時的に供給する。なお、粉状凝集剤の供給を行った後、攪拌を停止し、生成フロックを凝集反応槽１４底部に沈降させた後、供給ポンプ２５により濾過原液を沈降フロックとともに真空濾過装置１６の濾過原液槽３６へ供給してもよい。
【００８６】
３）濾過操作
濾過原液（スラッジ）は、濾過原液槽３６に装備されたＬ位置の信号を受けてＨ位置になるまで、凝集反応槽１４から、濾過原液供給配管３１を介して濾過原液槽３６へ供給する。なお、濾過原液供給配管３１の供給口３１ａは、濾過原液の設定液面（Ｈ位置）に位置する。
【００８７】
このとき、フィルタドラム３８は、各濾室６２を真空吸引するとともに、低速回転させる。また、スクレーパ装置４６の掻取り刃４８はプリコート層５０の表面位置にあり、所定速度で前進するようになっている。このときの前進速度は、0.02〜0.20ｍｍ／minとする。
【００８８】
なお、アニオン系の高分子凝集剤は、粉状凝集剤の構成成分としてもよいが、濾過原液供給配管３１途中で供給してもよい。
【００８９】
このため、高分子凝集剤を添加すると、フロックは１〜５ｍｍまで生長する。高分子凝集剤の添加量は、例えば、凝集後のＳＳ濃度（昭和４６年環境庁告示第５９号付表８にて規定）が4000mg／Lまでの廃水に対しては、1.0〜5.0mg／Lとする。
【００９０】
高分子凝集剤の添加量が過多であると、余剰の高分子凝集剤の粘性により、濾過抵抗が増大し、過少であると、高分子凝集剤による添加効果、フロックの強度増大及び濾過助剤の大径化を可能とすることが困難となる。
【００９１】
そして、フロックが成長した状態でも、揺りかご式の円弧状攪拌翼１０６により緩やかに揺動攪拌するため、フロックが沈降することがなく、フロックが破壊されることも殆どない。このときの、往復サイクルは２０〜５０Ｈｚとする。
【００９２】
そして、前述の如く、各濾室６２の吸引圧は濾過に十分な真空度に維持されているため、良好にフロックがプリコート層に捕獲されてケーキとなる。
【００９３】
また、攪拌翼１０６を設けずにフロックが大きくなりすぎて濾過原液槽３６に沈降した場合は、前述の如く、濾過原液槽３６底部から濾過原液戻し配管３７を介して凝集反応槽１４へ戻して、攪拌機２２等でフロックを破壊し、再調製すればよい。
【符号の説明】
【００９４】
１０    凝集反応装置
１１    プリコート槽
１２    廃水槽
１４    凝集反応槽
１５    粉状凝集剤供給手段
１６    真空濾過装置
３６    濾過原液槽
３７    濾過原液戻し配管
３８    フィルタドラム
４６    スクレーパ手段
【図１】
0005732940.tif 000002
【図２】
0005732940.tif 000003
【図３】
0005732940.tif 000004
【図４】
0005732940.tif 000005
【図５】
0005732940.tif 000006
【図６】
0005732940.tif 000007
【図７】
0005732940.tif 000008